(57)【要約】【課題】  シンプルな構造でありながら、ガス供給の停止や再開によって煩わされることのないガス浄化装置を提供すること。【解決手段】  浄化液を貯留した浄化液容器（３）を、ガス供給口（１１）側の部屋（１２）とガス排出口（１３）側の部屋（１４）とに仕切るための仕切壁（１５）を設けてあり、当該浄化液に水没させた仕切壁下端に設けた細目網体（１７）を、ガス供給口から供給したガスの圧力によって押し下げた当該浄化液液面上に露出させ、露出した細目網体を介して供給したガスをガス排出口側の部屋に貯留した当該浄化液内に吹込可能に構成してある。ガス供給を停止すると、浄化液液面が復帰して細目網体を再び水没させる。ガス浄化装置（１）においてガス供給のみ制御すればよく、他の制御を行わなくてもガス浄化を行うことができる。他の制御が不要であるため、構造もシンプルである。【選択図】  図２
2006130392.tif 000002
【特許請求の範囲】
【請求項１】
ガス供給口及びガス排出口を有する有底の浄化液容器と、
当該浄化液容器内部をガス供給口側の部屋とガス排出口側の部屋とに仕切るために当該浄化液容器内に支持構造を介して設けた仕切壁と、
当該浄化液容器の底部から起立して当該浄化液容器の内部容積を減少させるための減容ブロックと、
浄化液によって浄化したガスを通過させ当該ガスの同伴水滴を捕捉するためのデミスターと、
を含み、
当該浄化液容器は、当該底部から起立する筒状外壁を含めて構成してあり、
当該仕切壁が、当該筒状外壁に対してガス及び浄化液が通過可能な縦通路を挟んで対向する筒状に形成してあり、
当該支持構造が、当該仕切壁下端と当該底部との間に浄化液通過のための下端通路を形成可能に構成してあり、
当該仕切壁下部が、当該仕切壁と一体又は別体の細目網体によって構成してあり、
当該細目網体が、ガス供給時においてガス通過は許すが浄化液通過は許さない構造に構成してあり、
当該仕切壁と当該減容ブロックとの間には、当該下端通路と連通して浄化液を貯留可能な貯留空間を形成してあり、
当該ガス供給口から供給したガスが当該縦通路内において浄化液面を押し下げて当該細目網体の一部又は全部を露出させることによって、露出した当該細目網体を通過したガスが貯留空間内の浄化液内を通過した後に当該デミスターを経て当該ガス排出口から排出可能に、かつ、ガス供給の停止によって浄化液面が復帰して露出していた当該細目網体の一部又は全部を浄化液内に水没可能に構成してある
ことを特徴とするガス浄化装置。
【請求項２】
前記仕切壁及び／又は前記減容ブロックには、前記貯留空間内に突き出す攪拌突起を設けてある
ことを特徴とする請求項１記載のガス浄化装置。
【請求項３】
前記貯留空間内には、ガス及び浄化液が通過可能な粗目網体を配してある
ことを特徴とする請求項１又は２記載のガス浄化装置。
【請求項４】
前記デミスターが、捕捉した水滴の集中落下を促すためにすり鉢状に形成してあり、
前記減容ブロックには、当該デミスターから落下した水滴を受けて前記浄化液容器外部へ落下排出させるための排液路を形成してあり、
当該排液路には、排液排出可能、かつ、前記浄化液容器内への外気流入を阻止するためのシール構造を設けてある
ことを特徴とする請求項１乃至３何れか記載のガス浄化装置。
【発明の詳細な説明】
【技術分野】
【０００１】
本発明は、浄化液にガスを供給することにより、当該ガスを浄化するためのガス浄化装置に関する。
【背景技術】
【０００２】
浄化液にガスを供給する方式のガス浄化装置として、特許文献１に開示されたものがある。特許文献１に開示されたガス浄化装置（以下、「従来の浄化装置」という）は、浄化液を貯留したケーシングと、このケーシング内で、かつ、このケーシング内に貯留した浄化液の液面よりも低い位置に設けたフィルタと、このフィルタの下方方向に開口するガス供給口と、を備えている。フィルタは、ケーシングの底部を構成しており、フィルタ下方のガス供給口から供給するガス圧を浄化液の水柱圧よりも高く設定され、これによって、浄化液をフィルタから落下させずにフィルタを介してガスを浄化液内に吹込み可能に構成されている。
【特許文献１】特開平８−２１５５２９号公報（段落０００６、００１２、図２参照）
【発明の開示】
【発明が解決しようとする課題】
【０００３】
しかしながら、従来の浄化装置では、供給するガス圧を浄化液の水柱圧よりも高く保つことにより浄化液をケーシング内に貯留しているが、逆にいえばガスを吹き込み続けなければ浄化液を貯留することができないことになる。常時稼動を予定しているのであればともかく、そうでないのであれば、何らかの理由によりガス供給を停止しようとする場合もある。従来の浄化装置を停止しようとする場合は、吹込み停止前に浄化液をケーシングから抜き取らなければならない。ガスの吹き込みは、一般にブロワー（送風装置）によって行われるが、浄化液を貯留したままブロワーをオフにすると、ガス圧が減じて水柱圧が勝ってしまうのでフィルタを介して浄化液が漏れ出してしまうからである。他方、再稼動させようとするときは、まず、浄化液をケーシング内に注入して一定量を貯留してから、ブロワーをオンしてガス供給を再開することになる。しかしながら、ブロワーのオフオンの度に浄化液の抜き取り注入を必要とすると、たいへんな手間がかかり、きわめて不便である。ブロワーのオフオンと連動するバルブやゲート等を設ければ、上記の不便は解消可能かもしれないが、今度は、構造的制御的にガス浄化装置を複雑化してしまうという新たな問題点が生じうる。本発明が解決しようとする課題は、シンプルな構造でありながら、ガス供給の停止や再開によって煩わされることのないガス浄化装置を提供することにある。
【課題を解決するための手段】
【０００４】
上述した課題を解決するために発明者は、ガス圧の増減に伴い露出と水没を繰り返す網体をガス供給口とガス排出口との間に設け、吹き込みの最中だけガスが当該細目網体を通過可能に構成した。その具体的構成については、項を改めて説明する。なお、何れかの請求項記載の発明の構成を説明するに当たって行う用語の定義等は、その性質上可能な範囲において他の請求項記載の発明にも適用されるものとする。
【０００５】
（請求項１記載の発明の特徴）
請求項１記載の発明に係るガス浄化装置（以下、適宜「請求項１の浄化装置」という）は、ガス供給口及びガス排出口を有する有底の浄化液容器と、当該浄化液容器内部をガス供給口側の部屋とガス排出口側の部屋とに仕切るために当該浄化液容器内に支持構造を介して設けた仕切壁と、当該浄化液容器の底部から起立して当該浄化液容器の内部容積を減少させるための減容ブロックと、浄化液によって浄化したガスを通過させ当該ガスの同伴水滴（飛沫）を捕捉するためのデミスターと、を含めて構成してある。当該浄化液容器は、当該底部から起立する筒状外壁を含めて構成してある。当該仕切壁は、当該筒状外壁に対してガス及び浄化液が通過可能な縦通路を挟んで対向する筒状に形成してある。当該支持構造は、当該仕切壁下端と当該底部との間に浄化液通過のための下端通路を形成可能に構成してある。当該仕切壁下部は、当該仕切壁と一体又は別体の細目網体によって構成してある。当該細目網体は、ガス供給時においてガス通過は許すが浄化液通過は許さない構造に構成してある。当該仕切壁と当該減容ブロックとの間には、当該下端通路と連通して浄化液を貯留可能な貯留空間を形成してある。以上の構成によって、当該ガス供給口から供給したガスが当該縦通路内において浄化液面を押し下げて当該細目網体の一部又は全部を露出させることによって、露出した当該細目網体を通過したガスが貯留空間内の浄化液内を通過した後に当該デミスターを経て当該ガス排出口から排出可能に、かつ、ガス供給の停止によって浄化液面が復帰して露出していた当該細目網体の一部又は全部を浄化液内に水没可能に構成してある。筒状外壁及び仕切壁の横断面形状は、円形や矩形が一般的であるが、これら以外の形状であってもよい。
【０００６】
請求項１の浄化装置によれば、ガス供給口から浄化液容器内に供給したガスが浄化液で一次的な浄化がなされ、さらに、デミスターによって水滴（飛沫）が捕捉される。デミスターによって捕捉された水滴が後続上昇してくるガスと接触して当該後続ガスに含まれる異物を除去する場合もあり得る。浄化されたガスは、ガス排出口から浄化液容器外へ排出される。浄化液容器の内部は、仕切壁によってガス供給口側の部屋とガス排出口側の部屋に仕切られる。ガス供給口側の部屋とガス排出口側の部屋との間には浄化液が介在する。浄化液は、縦通路と、この縦通路と下端通路を介して連通する貯留空間内に貯留する。ガス供給を行っていないときの細目網体は、縦通路内にある浄化液に水没させておく。ここで、ガス供給口から浄化液容器内に供給すると、ガス圧が浄化液液面を押し下げて細目網体の一部又は全部を露出させる。ガス圧は、ガス供給口へのガス吹込み又はガス排出口からのガス吸引の何れか一方又は双方によって発生させることができる。露出した細目網体はガス圧が加わったときにガス通過のみ許す構造になっているため、縦通路内の浄化液は下端通路を介して貯留空間内に流れ、貯留空間内にあった浄化液を押し上げる。押し上げによって、貯留空間内の浄化液の液柱高さが高くなる。つまり、浄化に必要なときだけ浄化液の液柱を高くすることができるので、貯留してある浄化液が比較的少量であっても浄化作用の低下がないか、あっても極僅かである。また、液柱を高くした分だけガスと浄化液との接触機会を増加させることができ、この点も高浄化率に貢献する。浄化液液面の押し下げによって露出した細目網体の一部又は全部は、貯留空間内の浄化液が縦通路側へ移動することを許さないが、縦通路内に吹き込まれたガスの貯留空間内への移動は許す。このため、吹き込まれたガスは細目網体を通過して貯留空間内で気泡化する。細目網体の網目は、ガスの気泡化に大きな役割を果たす。浄化液を抜けて一時的浄化されたガスはデミスターを抜けるときに、水滴が捕捉される。捕捉した水滴には異物も含まれており、水滴捕捉は二次的浄化の機能を果たす。ガスの吹込みを停止すると、貯留空間内の浄化液の水柱圧によって縦通路内の浄化液液面が上昇しバランスがとれたところで浄化液の移動が停止する。浄化液液面の復帰により、細目網体が浄化液に再び水没する。以上のとおり、貯留空間内の浄化液の高さは、ガスを吹き込んでいないときより供給したときの方を高くすることができるので、比較的少量の浄化液であっても効率のよいガス浄化を行うことができる。他方、ガス供給を停止しても、所定量の浄化液が縦通路内に戻るだけであるから、ガス供給の開始停止によって、特別な操作や作業を必要としない。また、ガス浄化装置全体の構造も極めてシンプルである。
【０００７】
（請求項２記載の発明の特徴）
請求項２記載の発明に係るガス浄化装置（以下、適宜「請求項２の浄化装置」という）では、請求項１の浄化装置の基本的構造を備えさせた上で、前記仕切壁及び／又は前記減容ブロックには、前記貯留空間内に突き出す攪拌突起を設けてある。攪拌突起は、仕切壁と減容ブロックの何れか一方にのみ設けてもよいし、双方に設けてもよい。攪拌突起の個数及び形状に特別な制限はない。
【０００８】
請求項２の浄化装置によれば、請求項１の浄化装置の作用効果に加え、攪拌突起の働きによって、貯留空間内の浄化液がガス気泡とともに攪拌される。攪拌は、ガス気泡と浄化液との接触時間を長引かせるので、長引かせた分だけ浄化効果を高めることができる。
【０００９】
（請求項３記載の発明の特徴）
請求項３記載の発明に係るガス浄化装置（以下、適宜「請求項３の浄化装置」という）では、請求項１又は２の浄化装置の基本的構造を備えさせた上で、前記貯留空間内には、ガス及び浄化液が通過可能な粗目網体を配してある。
【００１０】
請求項３の浄化装置によれば、請求項１又は２の浄化装置の作用効果に加え、粗目網体の働きによって、浄化液による浄化効果を、さらに高めることができる。すなわち、貯留空間内に貯留されている浄化液内にガス気泡が吹き込まれると、ガス気泡の量にもよるがこれが多量であると浄化液内で群となったガス気泡が浄化液を持ち上げるように作用してしまうが、これが浄化効率の低下に繋がりかねない。そこで、粗目網体を配することで、群となったガス気泡を再び分散させ、これによって、ガス気泡と浄化液との接触機会の低下を抑制し、結果として、浄化効果をさらに高めることになる。
【００１１】
（請求項４記載の発明の特徴）
請求項４記載の発明に係るガス浄化装置（以下、適宜「請求項４の浄化装置」という）では、請求項１乃至３何れかの浄化装置の基本的構成を備えさせた上で、前記デミスターが、捕捉した水滴の集中落下を促すためにすり鉢状に形成してあり、前記減容ブロックには、当該デミスターから落下した水滴を受けて前記浄化液容器外部へ落下排出させるための排液路を形成してあり、当該排液路には、排液排出可能、かつ、前記浄化液容器内への外気流入を阻止するためのシール構造を設けてある。
【００１２】
請求項４の浄化装置によれば、請求項１乃至３何れかの浄化装置の作用効果に加え、デミスターが捕捉した水滴をすり鉢傾斜を利用して先端部に集中させ、先端部の保水量を超えさせることによって集中落下させる。落下した水滴は、排液路を介して浄化液容器外へ排出させる。デミスターによって捕捉した水滴には、異物が含まれていることが多いが、これを浄化液に戻すと浄化液内の異物量が増加して浄化液の浄化効率を低下させるおそれがあるので、これを防ぐためである。シール構造は、排液排出を許すが外気流入を阻止する。
【発明の効果】
【００１３】
本発明によれば、シンプルな構造でありながら、ガス供給の停止や再開によって煩わされることのないガス浄化装置を提供することができる。
【発明を実施するための最良の形態】
【００１４】
図面を参照しながら説明する。図１は、ガス浄化装置の斜視図である。図２は、ガス浄化装置の内部構造を示す斜視図である。図３は、ガス浄化装置の縦断面図である。図４は、図３に示すガス浄化装置の部分拡大図である。図５は、図３に示すガス浄化装置のＸ−Ｘ断面図である。図６は、図３に示すガス浄化装置のＹ−Ｙ断面図である。図７は、図４に示すガス浄化装置の変形例を示す部分拡大図である。
【００１５】
（ガス浄化装置の概略構造）
図１乃至３に基づいて説明する。ガス浄化装置１は、浄化液容器３と、浄化液容器３の下方領域に配する排液貯留容器５と、から概ね構成してある。浄化液容器３は、図外の架台の上に設置可能に構成してあり、排液貯留容器５は、上記架台下方の床面に設置するように構成してある。浄化液容器３と排液貯留容器５は、後述する排液路２９によって連通させてある。なお、本実施形態では浄化液Ｌｊとして水を用いたが、ガスの種類やガスに含まれる異物の種類等に応じて浄化液を使い分けるとよい。必要に応じて、アルコールのような有機液体を用いることもできる。図１に示す符号３ｐは浄化液Ｌｊの供給口を、符号５ｐは排液排出用の抜取口を、それぞれ示している。
【００１６】
（浄化液容器の構造）
図１乃至６を参照する。浄化液容器３は、金属製の箱体であって、その側部にガス供給口１１を、その上部にガス排出口１３を、それぞれ備えている。浄化液容器３は、底部３ａ、底部３ａの周縁から起立する筒状外壁３ｂ及び、筒状外壁３ｂの上端を封鎖する天板部３ｃとから外観構成してあり、図１に示すように、平面視矩形に形成してあるが、この形状に限定する必要はない。たとえば、平面視円形に形成することもできる。浄化液容器３の内部は、天板部３ｃから垂下する仕切壁１５によってガス供給口１１側に位置する第１の部屋１２と、ガス排出口１３側に位置する第２の部屋１４という２つの部屋に仕切ってある。仕切壁１５は、図５に示すように、平面視したときに筒状外壁３ｂとほぼ相似の形状に形成してあり、さらに、筒状外壁３ｂと対向させることにより両者間にガス及び浄化液Ｌｊが通過可能な縦通路１９を形成してある。また、上述したように仕切壁１５は天板部３ｃから垂下させてあるが、この仕切壁１５の下端と底部３ａとの間に浄化液Ｌｊ通過のための下端通路２１を形成してある。仕切壁１５は、後述する細目網体１７を含めて構成してある。天板部３ｃは、浄化液容器３を封鎖する機能の他に、下端通路２１を形成可能な状態で仕切壁１５を浄化液容器３内に支持するための支持構造としての機能を兼ね備えている。
【００１７】
符号２５は、底部３ａの中央部から起立する減容ブロックを示している。減容ブロック２５は、金属製の中空体であって、浄化液容器３の内部容積を減少させるため、すなわち、貯留する浄化液Ｌｊの量を減少させるための部材である。減容ブロック２５は、周壁２５ａを備え、周壁２５ａは、筒状外壁３ｂ（仕切壁１５）と平面視相似形に形成してある。周壁２５ａと仕切壁１５との間には、下端通路２１を介して縦通路１９と連通する貯留空間２７が形成される。他方、減容ブロック２５は、周壁２５ａの上端に上方に突き出すテーパー天板２５ｂを備え、テーパー天板２５ｂの頂部には、上方に向って開口する排液路２９を設けてある。図３に示すように、テーパー天板２５ｂを周囲に向って下り傾斜させたのは、テーパー天板２５ｂ上に乗った水分や浄化液Ｌｊ等を滞留させずに貯留空間２７へ流し込むためである。排液路２９は、頂部で最大開口し下部に向って先細りする漏斗形状の水受け部２９ａと、水受け部２９ａの下端に設けた落下パイプ部２９ｂとから構成してある。落下パイプ部２９ｂの下端部は、排液貯留容器５内に差し込んである。
【００１８】
図４を参照しながら、仕切壁１５の詳細について説明する。仕切壁１５の下端部は、細目網体１７によって構成してある。細目網体１７は、たとえば、浄化液Ｌｊの性質や貯留量、さらに、供給するガスのガス圧の高低等によって大幅に変化するが、線径概ね０．０３ｍｍ〜１．００ｍｍの細線を用いて概ね０．１ｍｍ〜５．０ｍｍの孔径の網目に構成するとよい。細線を使用した場合の網目の形状は、矩形や菱形が一般的であるが、これら以外の形状であっても構わない。さらに、本実施形態では、別体の細目網体１７を仕切壁１５の一部として取り付けてあるが、仕切壁１５自体にパンチング等を施すことにより、施した部分を細目網体として機能させるように構成してもよい。また、パンチングメタル、エキスパンドメタル、粉末焼結、繊維融着体など、浄化液容器３内で使用するときに、貯留空間２７の浄化液Ｌｊを縦通路１９内への通過を許さず、縦通路１９内にあるガスを貯留空間２７内への通過を許すものであれば、細目網体１７として使用可能である。細目網体１７を通過したガスは細分化（気泡化）され、貯留空間２７の中にある浄化液Ｌｊ内を上昇する。
【００１９】
図３及び４に示す符号３５，・・は、貯留空間２７内に配した粗目網体を示している。各粗目網体３５は、支持体３６，３６を介して仕切壁１５及び減容ブロック２５に固定してある。貯留空間２７内に貯留されている浄化液Ｌｊ内にガス気泡が吹き込まれると、ガス気泡の量にもよるがこれが多量であると浄化液Ｌｊ内で群となったガス気泡が浄化液Ｌｊを持ち上げるように作用してしまうが、これが浄化効率の低下に繋がりかねない。そこで、粗目網体３５，・・を配することで、群となったガス気泡を再び分散させ、これによって、ガス気泡と浄化液Ｌｊとの接触機会の低下を抑制し、結果として、浄化効果をさらに高めることができる。粗目網体３５は、これも浄化液Ｌｊの性質やガス圧等により変化するが、たとえば、線径０．０３ｍｍ〜５．００ｍｍ程度の細線を用いて０．３ｍｍ〜１０ｍｍ程度の孔径の網目を形成したものを好適に用いることができる。粗目網体３５は、ガス気泡の衝突にさらされるが、この衝突は、浄化液Ｌｊ内を上昇するガス気泡の上昇方向を不規則に変化させる。このような変化が、浄化液Ｌｊ内の乱流（旋回）を生じさせ、この乱流が、ガス気泡を浄化液Ｌｊ内に長く留まらせて浄化作用の効率を高める。
【００２０】
図３及び５に示す符号４１は、余分な水滴を捕捉するためのデミスターを示している。デミスターは、細い金属繊維等を入り組ませて構成した網体である。貯留空間２７という比較的狭い空間からデミスター４１の下方領域（第２の部屋１４）という広い空間に放出されたガスは拡散する一方、拡散の際に浄化液を跳ね上げたり霧状態にしたりする。このような大小の水滴、すなわち、飛沫はデミスター４１の細かい繊維等に衝突して、そこで捕捉される。捕捉された水滴は、後続上昇してくるガスと接触して当該後続ガスに含まれる異物を除去する。デミスター４１は、捕捉した水滴の集中落下を促すためにすり鉢状に形成してあるため、捕捉された水滴は下端中央の先端部に集中する（図３参照）。先端部に集中した水滴が、デミスター４１の保水量を超えたときに水滴は集中落下する。落下した水滴は、排液路２９を介して排液貯留容器５内に貯留する。落下する水滴は、上昇してくる後続ガスと接触して、さらなる異物除去作用を発揮する。落下する水滴を浄化液に戻さないのは、デミスター４１が捕捉した水滴には、上述した作用によって除去した異物が含まれていることが多いので、これをそのまま浄化液に戻すと浄化液Ｌｊ内の異物量が増加して浄化液の浄化効率を低下させるおそれがあることから、これを防ぐためである。
【００２１】
図１乃至３に示す排液貯留容器５は、浄化液容器３と同様に金属製の箱体であって、上述したように排液路２９の落下パイプ部２９ｂの下端部をその天板部から受け入れ、さらに、側面から突き出る抜取口５ｐを備えている。排液貯留容器５内に排液が貯まると、その排液液面が落下パイプ部２９ｂの下端を水没させるが、これによって排液路２９を介して浄化液容器３内部と、抜取口５ｐを介して外部と連通する排液貯留容器５との間の連通が遮断される。つまり、外気が浄化液容器３内に流入不能になる。他方、落下パイプ部２９ｂ内に排液が貯まると、その圧力差により貯まった排液が排液貯留容器５内に押し出される。排液貯留容器５内の排液が所定量以上となると、排液は抜取口５ｐから自然流出するように構成してある。このように、排液貯留容器５は、排液路２９から排液排出可能、かつ、当該浄化液容器３内への外気流入を阻止するためのシール構造としての機能を有している。排液路２９は、さらに、浄化液容器３内の浄化液Ｌｊがオーバーフローしたときの、オーバーフロー分の浄化液Ｌｊを排出させる機能も兼ね備えている。なお、上記シール構造として、排液貯留容器５の代わりにＵ字管等を使用可能であることは言うまでもない。
【００２２】
（ガス浄化装置の作用効果）
図３及び４に基づいて説明する。ガス浄化装置１によれば、ガス供給口１１から浄化液容器３内に供給したガスが浄化液Ｌｊで一次的な浄化がなされ、さらに、デミスター４１によって水滴（水分）とともに二次的な浄化がなされる。浄化されたガスは、ガス排出口１３から浄化液容器３外へ排出される。これが、ガス浄化装置１の基本的な作用効果である。ガスの供給は、ガス供給口１１から吹き込んでもよいし、ガス排出口１３から吸引してもよい。吹込みと吸引とを同時に行ってもよい。浄化液Ｌｊは、縦通路１９と、この縦通路１９と下端通路２１を介して連通する貯留空間２７内に貯留しておく。ガス供給を行っていないときの細目網体１７は、縦通路１９内にある浄化液Ｌｊに水没させておく。ここで、ガス供給口１１から浄化液容器３内にガスを供給すると、ガス圧が浄化液Ｌｊの液面を押し下げて細目網体１７の一部又は全部を露出させる。露出した細目網体１７はガス通過のみ許す構造になっているため、縦通路１９内の浄化液Ｌｊは下端通路２１を介して貯留空間２７内に流れ、貯留空間２７内にあった浄化液Ｌｊを押し上げる。押し上げによって、貯留空間２７内の浄化液Ｌｊの液柱高さが高くなる。つまり、浄化に必要なときだけ浄化液Ｌｊの液柱を高くすることができるので、貯留してある浄化液Ｌｊが比較的少量であっても浄化作用の低下がないか、あっても極僅かである。また、液柱を高くした分だけガスと浄化液Ｌｊとの接触機会を増加させることができ、この点も高浄化率に大きく貢献する。
【００２３】
浄化液Ｌｊの液面の押し下げによって露出した細目網体１７の一部又は全部は、貯留空間２７内の浄化液Ｌｊが縦通路１９側へ移動することを許さないが、縦通路１９内に吹き込まれたガスの貯留空間２７内への移動は許す。つまり、図４において、細目網体１７の左側領域（縦通路１９）にはガスがあり、同じく右側領域（貯留空間２７）には浄化液Ｌｊがある。換言すると、斜線矢印で示すガスから見たとして、細目網体１７の裏側（細目網体１７の右側）には浄化液Ｌｊの壁があるが如き状態にある。この状態において、ガスは、ガス圧によって細目網体１７を通過する。浄化液Ｌｊは、細目網体１７の網目が十分に細かいため通過しづらいことに加え、網目を介してガス圧を受けるため縦通路１９側へ流れることはない。つまり、ガスのみ通過可能な一方通行である。細目網体１７の網目の大きさは供給するガスの圧力と相関関係にある。網目の大きさが比較的大きくても、その分ガス圧が大きければガスの一方通行に支障はない。逆に、ガス圧が小さいときは、その分、網目の大きさを小さくすればよい。ガス圧に関係なくガスの一方通行が実現できるのであれば、そのような網目を持った細目網体を使用可能なことは勿論である。
【００２４】
細目網体１７を通過したガスは、貯留空間２７内で気泡化する。気泡化して上昇するが、このとき粗目網体３５の作用を受け浄化液Ｌｊ内で乱流を発生させる。粗目網体３５は、ガス気泡によって持ち上げられようとする浄化液Ｌｊを押える役目も担っている。浄化液Ｌｊを抜けて一時的浄化されたガスはデミスター４１を抜けるときに、同伴した飛沫（水滴）が捕捉される。捕捉した水滴は上昇してくる後続ガスに含まれる異物を捕捉するや働きがあるので、水滴捕捉は二次的浄化の機能を果たす。ガスの吹込みを停止すると、貯留空間２７内の浄化液の水柱圧によって縦通路１９内の浄化液Ｌｊ液面が上昇しバランスがとれたところで浄化液Ｌｊの移動が停止する。浄化液Ｌｊ液面の復帰により、細目網体１７が浄化液Ｌｊに再び水没する。以上のとおり、貯留空間２７内の浄化液Ｌｊの液柱高さは、ガスを吹き込んでいないときより供給したときの方を高くすることができるので、比較的少量の浄化液Ｌｊであっても効率のよいガス浄化を行うことができる。他方、ガス供給を停止しても、所定量の浄化液Ｌｊが縦通路１９内に戻るだけであるから、ガス供給の開始停止によって、特別な操作や作業を必要としない。また、ガス浄化装置１全体の構造も極めてシンプルである。
【００２５】
（本実施形態の変形例）
図７を参照しながら説明する。本変形例が上述した本実施形態と異なるのは、貯留空間２７内の構造のみである。したがって、以下の説明では、異なる点について重点的に説明を行い、異ならない点については必要な場合にだけ説明を行う。また、図７に示す部材や部分について図４に示すそれらと共通するものについては、図４で使用した符号と同じ符号を図７において使用する。すなわち、本変形例においては、本実施形態において用いた粗目網体を設けておらず、その代わりに、複数の攪拌突起５１，・・を貯留空間２７内に突き出させてある。攪拌突起５１は、少なくとも１個（１条）あれば足りる。本変形例では仕切壁１５と減容ブロック２５（周壁２５ａ）の双方に設けてあるが、何れか一方にのみ設けるようにしてもよい。攪拌突起５１，・・の個数及び形状に特別な制限はないが、本変形例では浄化液Ｌｊ内に螺旋流を生じさせやすいように螺旋状に形成してある。本変形例によれば、攪拌突起５１，・・の働きによって、貯留空間２７内の浄化液Ｌｊがガス気泡とともに攪拌される。攪拌は、ガス気泡と浄化液Ｌｊとの接触時間を長引かせるので、長引かせた分だけ浄化効果を高めることができる。なお、上記した攪拌突起と前述した粗目網体を併用することを妨げるものではない。
【図面の簡単な説明】
【００２６】
【図１】ガス浄化装置の斜視図である。
【図２】ガス浄化装置の内部構造を示す斜視図である。
【図３】ガス浄化装置の縦断面図である。
【図４】図３に示すガス浄化装置の部分拡大図である。
【図５】図３に示すガス浄化装置のＸ−Ｘ断面図である。
【図６】図３に示すガス浄化装置のＹ−Ｙ断面図である。
【図７】図４に示すガス浄化装置の変形例を示す部分拡大図である。
【符号の説明】
【００２７】
１            ガス浄化装置
３            浄化液容器
３ａ          底部
３ｃ          天板部
３ｂ          筒状外壁
３ｐ          供給口
５            排液貯留容器
５ｐ          抜取口
１１            ガス供給口
１２            第１の部屋
１３            ガス排出口
１４            第２の部屋
１５            仕切壁
１７            細目網体
１９            縦通路
２１            下端通路
２５ｂ          テーパー天板
２５            減容ブロック
２５ａ          周壁
２７            貯留空間
２９            排液路
２９ａ          水受け部
２９ｂ          落下パイプ部
３５            粗目網体
３６            支持体
４１            デミスター
５１            攪拌突起
【図１】
2006130392.tif 000003
【図２】
2006130392.tif 000004
【図３】
2006130392.tif 000005
【図４】
2006130392.tif 000006
【図５】
2006130392.tif 000007
【図６】
2006130392.tif 000008
【図７】
2006130392.tif 000009